(57)【要約】【課題】巻線された電線のリード端部の処理作業を容易にした巻線装置への電線供給装置を提供する。【解決手段】複数本の電線Ｗを並列して送り出すノズル２８と、これらの電線のクランプ部を有し、これらの電線を巻き付けさせるように回転する巻枠４０と、この巻枠の下方に配置され、ステータコアの内歯に対応して立設された複数本のガイド棒を有し、前記巻枠と同期して回転できる電線保持治具８０と、水平及び上下方向に移動できる電線受け渡し手段とを備えた巻線装置１０に、複数のボビン２０１から引き出された複数本の電線Ｗを並列させて供給する電線供給装置２００において、それぞれの電線の供給経路の途中に、電線の絶縁被覆を剥離する皮むき装置２３０を設ける。【選択図】　図１
2004088921.tif 000002
【特許請求の範囲】
【請求項１】
複数本の電線を並列して送り出すノズルと、これらの電線のクランプ部を有し、これらの電線を巻き付けさせるように回転する巻枠と、この巻枠の下方に配置され、ステータコアの内歯に対応して立設された複数本のガイド棒を有し、前記巻枠と同期して回転できる電線保持治具と、水平及び上下方向に移動できる電線受け渡し手段とを備えた巻線装置に、複数のボビンから引き出された複数本の電線を並列させて供給する電線供給装置において、前記複数本の電線のそれぞれの供給経路の途中に、電線の絶縁被覆を剥離する皮むき装置を設けたことを特徴とする巻線装置への電線供給装置。
【請求項２】
前記皮むき装置は、電線の通路を囲んで配置された複数本の揺動刃を有し、これらの揺動刃は、回転部材に揺動可能に支持され、その一端には刃先が設けられ、他端にはウエイトが設けられていて、前記回転部材が回転すると、前記ウエイトの遠心力によって、前記刃先が前記通路を通る電線に圧接されるように構成されている請求項１記載の巻線装置への電線供給装置。
【請求項３】
前記揺動刃の周囲を囲むカバーが設けられ、このカバーに前記電線の剥離された被覆を吸引する吸引管が接続され、この吸引管の吐出口には通気性のゴミ回収袋が設けられている請求項２記載の巻線装置への電線供給装置。
【請求項４】
前記皮むき装置は、渡り線を介して連続して巻かれる一連のコイルの巻き終わり端部及び次に巻く一連のコイルの巻き始め端部となる部分が通る際に、少なくとも駆動するように構成されている請求項１〜３のいずれか１つに記載の巻線装置への電線供給装置。
【請求項５】
前記皮むき装置の駆動は、前記複数本の電線の移動を停止した状態で、前記皮むき装置を電線に沿って所定長さ移動させながら行うように構成されている請求項１〜４のいずれか１つに記載の巻線装置への電線供給装置。
【発明の詳細な説明】
【０００１】
【発明の属する技術分野】
本発明は、例えばステータコア等のコイルを形成するための巻線装置に絶縁被覆された電線を供給する装置に関し、特に該電線の絶縁被覆を予め剥離して供給するようにした電線供給装置に関する。
【０００２】
【従来の技術】
ステータコアにコイルを装着する方法としては、巻線装置によって巻枠上に電線を巻き付けてコイルを形成し、このコイルをステータコアの内歯に対応して配置された複数本のガイド棒を有する冶具に保持させ、この冶具がコイル挿入冶具であるときはそのまま、この冶具がトランスファー冶具であるときはコイル挿入冶具にコイルを移した後、コイル挿入冶具をステータコアの内歯に嵌合させ、冶具の中心を通るストリッパでコイルをステータコアのスロットに押し込んで装着するコイルインサーター方式がよく採用されている。
【０００３】
近年、電気自動車などのモータの開発に際し、自動車に搭載可能な低電圧の電源によって大きな駆動力が得られるようにするため、電線の断面積を大きくして大電流を流すことにより、大きな駆動力が得られるようにしたモータが望まれている。しかしながら、電線の直径を大きくした場合には、巻線操作やステータコアへのコイル挿入操作が困難となると共に、ステータコアのスロット内における電線のスペースファクタ（空間占有率）も小さくなるという問題点があった。
【０００４】
このため、複数本の電線を並列して巻いて（パラ巻きして）コイルを形成することにより、巻線操作やコイル挿入操作に支障をきたすことなく、電線の断面積を大きくする試みがなされている。そして、電線をパラ巻きする巻線装置としては、例えば特開平１１−３３２１８４号公報、特開２０００−１３４８７６号公報、特開２０００−２０９８２２号公報に示される装置が知られている。
【０００５】
【発明が解決しようとする課題】
しかしながら、電線をパラ巻きする上記従来の巻線装置においては、巻線されたコイルをステータコアのスロットに挿入した後、電線のリード端部をコネクタ等に接続しようとするとき、複数本の電線の絶縁被覆をそれぞれ剥離しなければならず、特にパラ巻きする電線の本数が多い場合には、絶縁被覆の剥離作業に時間がかかるという問題があった。
【０００６】
したがって、本発明の目的は、巻線された電線のリード端部の処理作業を容易にした巻線装置への電線供給装置を提供することにある。
【０００７】
【課題を解決するための手段】
上記目的を達成するため、本発明の巻線装置への電線供給装置は、複数本の電線を並列して送り出すノズルと、これらの電線のクランプ部を有し、これらの電線を巻き付けさせるように回転する巻枠と、この巻枠の下方に配置され、ステータコアの内歯に対応して立設された複数本のガイド棒を有し、前記巻枠と同期して回転できる電線保持治具と、水平及び上下方向に移動できる電線受け渡し手段とを備えた巻線装置に、複数のボビンから引き出された複数本の電線を並列させて供給する電線供給装置において、前記複数本の電線のそれぞれの供給経路の途中に、電線の絶縁被覆を剥離する皮むき装置を設けたことを特徴とする。
【０００８】
本発明の電線供給装置によれば、巻線装置へ複数本の電線を供給する途中で、リード端部となる部分が供給経路を通過するときに、上記皮むき装置を作動させて、電線の絶縁被覆を剥離することにより、巻き上がったコイルのリード端部となる部分が既に絶縁被覆を除去されているので、後の工程で絶縁被覆の剥離作業を行う必要がなくなる。したがって、複数本の電線をパラ巻きして形成したコイルのリード端部の処理作業を著しく容易にすることができる。
【０００９】
本発明の好ましい態様によれば、前記皮むき装置は、電線の通路を囲んで配置された複数本の揺動刃を有し、これらの揺動刃は、回転部材に揺動可能に支持され、その一端には刃先が設けられ、他端にはウエイトが設けられていて、前記回転部材が回転すると、前記ウエイトの遠心力によって、前記刃先が前記通路を通る電線に圧接されるように構成されている。
【００１０】
上記態様によれば、電線のリード端部となる部分が供給経路を通る際に、皮むき装置の回転部材を回転させることにより、回転する刃先がウエイトの遠心力によって電線に圧接されるため、電線外周の絶縁被覆を全周に亘ってきれいに剥離することができる。
【００１１】
本発明の更に好ましい態様によれば、前記揺動刃の周囲を囲むカバーが設けられ、このカバーに前記電線の剥離された被覆を吸引する吸引管が接続され、この吸引管の吐出口には通気性のゴミ回収袋が設けられている。
【００１２】
上記態様によれば、前記回転する刃先が電線に圧接されて、電線外周の絶縁被覆が剥離する際、その周囲を囲むカバーに吸引管が接続されていて、この吸引管を通してカバー内の空気が吸引されるため、上記剥離された絶縁被覆のゴミが吸引管から吸引除去される。そして、このゴミは、吸引管の吐出口に設けられたゴミ回収袋に集められるので、皮むき装置によって剥離された絶縁被覆が、刃先の近傍に溜まることを防止すると共に、絶縁被覆が飛散して作業環境を汚すという問題を回避することができる。
【００１３】
本発明の更に好ましい態様によれば、前記皮むき装置は、渡り線を介して連続して巻かれる一連のコイルの巻き終わり端部及び次に巻く一連のコイルの巻き始め端部となる部分が通る際に、少なくとも駆動するように構成されている。
【００１４】
上記態様によれば、現在巻いている一連のコイルの巻き終わり端部及び次に巻く一連のコイルの巻き始め端部となる部分は、通常連続しているので、巻線操作の終了直前等に供給経路を通る電線の絶縁被覆を所定長さ剥離し、この剥離された部分の中間部でカットすることにより、現在巻いている一連のコイルの巻き終わり側のリード端部と、次に巻く一連のコイルの巻き始め側のリード端部の絶縁被覆を効率よく剥離することができる。
【００１５】
本発明の更に好ましい態様によれば、前記皮むき装置の駆動は、前記複数本の電線の移動を停止した状態で、前記皮むき装置を電線に沿って所定長さ移動させながら行うように構成されている。
【００１６】
【発明の実施の形態】
図１〜５には、本発明による電線供給装置の一実施形態が示されており、図６〜３０には、同電線供給装置が適用される巻線装置の一例が示されている。
【００１７】
図１において、１０は、巻線装置であり、２００は、この巻線装置１０に複数本の電線Ｗを並列させて供給する、本発明による電線供給装置である。
【００１８】
電線供給装置２００の下方には、複数のボビン２０１が設置されている。そして、このボビン２０１の設置箇所に立設されたスタンド２０２を有し、このスタンド２０２の上部には、水平に伸びるアーム２０３が接続され、その両端部に第１ガイドリール２０４がそれぞれ取付けられている。また、スタンド２０２の上端には、支持パネル２０５が取付けられている。
【００１９】
図２、３を併せて参照すると、支持パネル２０５には、上記第１ガイドリール２０４から延出される電線Ｗを１本ずつ平行に配列させるための複数の第２ガイドリール２０６が取付けられている。
【００２０】
また、支持パネル２０５には、水平方向に伸びるスリット２０７が、上記並列した電線Ｗに対応して複数平行に形成されている。図３に示すように、これらのスリット２０７には、スライド板２０８がスライド可能に挿入されている。支持パネル２０５の背面側には、上記スライド板２０８のスライドをガイドするガイド板２０９が、支持パネル２０５と平行に取付けられている。
【００２１】
また、支持パネル２０５の背面側には、エアシリンダ２１０が取付けられ、その作動ロッド２１１は、上記スライド板２０８に連結されている。エアシリンダ２１０は、作動ロッド２１１及びスライド板２０８を常時引き戻す方向（図３における右方向）に付勢している。スライド板２０８には、第３ガイドリール２１２が取付けられている。
【００２２】
なお、第３ガイドリール２１２の手前には、電線Ｗのロック装置２１３が設置されている。ロック装置２１３は、電線Ｗの経路を挟んで、一方には固定板２１４が配置され、他方にはエアシリンダ２１５で作動する可動板２１６が設置されている。固定板２１４には凹部、可動板２１６には凸部が設けられ、エアシリンダ２１５の作動で可動板２１６を固定板２１５に押し付けることにより、上記凹凸が嵌合して、それらの間に電線Ｗが挟まれて固定されるようになっている。
【００２３】
また、支持パネル２０５の上記第３ガイドリール２１２の更に前方には、第４ガイドリール２１７が取付けられている。電線Ｗは、上記第３ガイドリール２１２と第４ガイドリール２１７との間を、少なくとも１周巻き付けられた後、支持パネル２０５の先端に設置されたポール２１８に設けたガイド孔に挿通される。なお、ポール２１８の更に前方には、延長板２２０を介してポール２１９が設置されており、電線Ｗは、最終的にこのポール２１９に設けたガイド孔を挿通されて、巻線装置１０のノズル２８（後述）に送られるようになっている。
【００２４】
そして、上記延長板２２０には、ボールネジ２２１が電線Ｗの供給経路と平行にかつ回転可能に支持されており、このボールネジ２２１は、支持パネル２０５に設置されたモータ２２２によって回転するようになっている。
【００２５】
また、延長板２２０には、図示しないガイド棒が上記ボールネジ２２１と平行に取付けられており、このガイド棒にそって皮むき装置２３０がスライド可能に装着されている。皮むき装置２３０は、上記ボールネジ２２１に螺合するナット２２３に連結されており、上記モータ２２２によってボールネジ２２１が回転すると、上記ナット２２３を介して、電線Ｗの経路と平行な図中矢印Ａ−Ｂ方向に移動するようになっている。
【００２６】
図４に示すように、皮むき装置２３０は、角筒状の本体２３１と、この本体２３１の開口側の端部に装着された円筒状のカバー２３２とからなるケース２３３を有している。
【００２７】
本体２３１のカバー２３２と反対側の端面には、ベアリング２３４を介して回転筒２３５が挿通支持されている。回転筒２３５のケース２３３から突出した端部には、従動プーリ２３６が取付けられている。
【００２８】
これに対応して、本体２３１には、ブラケット２３７を介してモータ２３８が装着されており、モータ２３８の駆動軸には、駆動プーリ２３９が装着されている。そして、上記従動プーリ２３６と上記駆動プーリ２３９との間に、タイミングベルト２４０が張設されており、モータ２３８の回転によって、タイミングベルト２４０を介して回転筒２３５が回転するようになっている。
【００２９】
回転筒２３５には、回転軸２４１が挿通されている。回転軸２４１の一端は、回転筒２３５の一端からケース２３３の外部に突出し、そこに雄ネジ２４２が形成されている。また、雄ネジ２４２には、ナット２４３が螺着されている。
【００３０】
一方、回転軸２４１の他端は、回転筒２３５の他端からケース２３３内に突出しており、そこにフランジ２４４が固着されていて、上記ナット２４３を締め付けることにより、回転筒２３５が、フランジ２４４とナット２４３とに挟圧されて、回転軸２４１と回転筒２３５とが一体化するようになっている。なお、図示していないが、回転軸２４１の軸心には、電線Ｗを挿通させる挿通路が形成されている。
【００３１】
ケース２３３内には、ベアリング２４５を介して回転リング２４６が支持されている。この回転リング２４６は、回転軸２４１に連結されており、回転軸２４１の回転と一緒に回転する。
【００３２】
回転リング２４６には、この実施形態の場合、合計３本の揺動棒２５０が、それらの中間部を枢支されて、回転リング２４６の中心に対して放射状に配置されている。また、上記枢支点を中心に各揺動棒２５０が回動すると、その先端が電線Ｗの挿通路に対して近接又は離反する。
【００３３】
各揺動棒２５０の先端には、電線Ｗの絶縁被覆を剥離するための刃２５１が取付けられ、各揺動棒２５０の基端には、ウエイト２５２が取付けられている。また、揺動棒２５０の枢支点よりもウエイト２５２側には、３本の揺動棒を束ねるように図示しない弾性リングが装着され、各揺動棒２５０の刃２５１が常時は外方に開くように弾性付勢している。
【００３４】
図５を併せて参照すると、ケース２３３のカバー２３２には、吸引口２５３が取付けられており、この吸引口２５３に吸引チューブ２５４が連結されている。吸引チューブ２５４は吸引部２６０に接続され、この吸引部２６０は更に排出管２５７を介して、ゴミを通さない通気性のゴミ回収袋２５８に連結されている。ゴミ回収袋２５８には、ゴミが溜まったときに取出すためのファスナー２５９が取付けられている。
【００３５】
また、吸引部２６０には、高速の空気Ａを導入する空気供給管２５６が連結されている。そして、上記空気供給管２５６から導入される空気は、上記排出管２５７に流れ、吸引部２６０において、ベンチュリー管の原理で、吸引チューブ２５４内の空気を吸引する負圧を発生させる。
【００３６】
その結果、ケース２３２内の空気が吸引されて、吸引チューブ２５４、排出管２５７を通して排気される。そして、ケース２３２内で発生する絶縁被覆が剥離されたゴミは、ゴミ回収袋２５８に回収される。ゴミ回収袋２５８に集められたゴミは、ファスナー２５９を開いて廃棄することができる。
【００３７】
なお、カバー２３２の端面には、電線Ｗの導出口２５５が形成されている。また、本体２３１には、メッシュ状のフィルタを取付けられた空気取入れ口２６１が設けられている。
【００３８】
次に、この電線供給装置２００の作用について説明する。
複数のボビン２０１から繰出された電線Ｗは、第１ガイドリール２０４と第２ガイドリール２０６とを介して、支持パネル２０５に沿って平行に配列される。この電線Ｗは更に、第３ガイドリール２１２と、第４ガイドリール２１７との間を少なくとも１周巻き付けられた後、ポール２１８に設けたガイド孔を通り、皮むき装置２３０の回転軸２４１の挿通孔を通り抜けた後、導出口２５５から抜け出て、最後にポール２１９のガイド孔を通り、巻線装置１０のノズル２８に導入される。そして、巻線装置１０での巻線操作によって電線Ｗが引っ張られて、複数のボビン２０１から電線Ｗが引き出されるようになっている。
【００３９】
この場合、電線Ｗが巻線装置１０によって強く引っ張られたときは、第３ガイドリール２１２が、エアシリンダ２１０による引張力に抗して、第４ガイドリール２１７に近接する方向にスライドし、電線Ｗに過剰な引張力が作用することを防止している。また、電線Ｗが巻線装置１０の動作中に緩んだ場合には、エアシリンダ２１０による引張力によって、第３ガイドリール２１２が第４ガイドリール２１７から離れる方向に移動し、電線Ｗが巻線操作中に弛んでしまうことを防止できる。このように、第３ガイドリール２１２と第４ガイドリール２１７との間隔が伸縮自在に変化することによって、巻線操作に伴って電線Ｗの引き出し速度が変化しても、適度な引張力を常に付与することができる。
【００４０】
また、後述する巻線操作においては、電線Ｗをピンと張った状態にして、電線Ｗの受け渡しをすることがあるが、このような場合に、電線Ｗを後述するグリッパや、引き掛けプーリで引っ張っても、電線Ｗがボビン２０１から引き出されてしまうだけで、ピンと張ることができないことがある。このため、この実施形態においては、電線Ｗのロック装置２１３が設置されている。すなわち、上記のような場合に、ロック装置２１３のエアシリンダ２１５の作動で可動板２１６が固定板２１５に押し付けられ、電線Ｗが可動板２１６と固定板２１６との間に挟圧固定されて、電線Ｗがボビン２０１から引き出されてしまうことを防止することができる。また、このロック装置２１３は、電線Ｗの絶縁被覆を皮むき装置２３０によって剥離する場合にも利用される。
【００４１】
次に、皮むき装置２３０の作用について説明すると、巻線操作が終了する直前に、現在巻いているコイルの巻き終わり端部及び次に巻くコイルの巻き始め端部となる部分が、上記皮むき装置２３０が位置する部分に配置されたとき、上記ロック装置２１３が作動して、電線Ｗの送り出しをストップする。
【００４２】
その状態で、図４に示すモータ２３８の作動でタイミングベルト２４０を介して回転筒２３５及び回転軸２４１が回転する。そして、回転軸２４１に連結された回転リング２４６が回転し、３本の揺動棒２５０も一緒に回転する。すると、揺動棒２５０の基端に取付けられたウエイト２５２の遠心力によって、図示しない弾性リングの結束力に抗して、揺動棒２５０の枢支点よりも基部側が外径方向に広がり、その反対に先端の刃２５１が電線Ｗの経路方向に移動して、電線Ｗの外周に回転しながら接触する。
【００４３】
また、上記と同期して、図３に示すモータ２２２が作動してボールネジ２２１が回転し、このボールネジ２２１に螺合するナット２２３を介して、皮むき装置２３０が電線Ｗの軸線に沿って移動する。その結果、皮むき装置２３０は、電線Ｗの外周の絶縁被覆を、回転する刃２５１で剥離しながら、電線Ｗの軸線に沿って移動し、電線Ｗの、現在巻いているコイルの巻き終わり端部及び次に巻くコイルの巻き始め端部となる部分の絶縁被覆を剥離することができる。
【００４４】
電線Ｗの絶縁被覆を剥離された部分は、次の工程で巻線装置１０に導入され、上記絶縁被覆を剥離された部分のほぼ中央で切断され、現在巻いているコイルの巻き終わりのリード端部及び次に巻くコイルの巻き始めのリード端部の絶縁被覆を剥離して、そのままコネクタ等に接続できるようにすることができる。
【００４５】
なお、皮むき装置２３０による絶縁被覆の剥離は、現在巻いているコイルの巻き終わり端部及び次に巻くコイルの巻き始め端部となる部分に限らず、コイルとコイルの間の渡り線でリード線を取りたい場合にも適用することができる。
【００４６】
また、皮むき装置２３０が作動している間、前述したように、空気供給管２５６から空気Ａが高速で導入され、吸引部２６０において吸引チューブ２５４内の空気を吸引する負圧が発生するため、ケース２３２内の空気が吸引されて、吸引チューブ２５４、排出管２５７を通り、更にゴミ回収袋２５８を通過して排気される。このため、回転刃２５１によって絶縁被覆が剥離されて発生するゴミは、ケース２３２から吸引されてゴミ回収袋２５８に回収される。
【００４７】
このため、皮むき装置２３０によって剥離された絶縁被覆が、刃先の近傍に溜まることを防止すると共に、絶縁被覆が飛散して作業環境を汚すという問題を回避することができる。
【００４８】
図６〜３０には、本発明の電線供給装置が適用される巻線装置の一例が示されている。
【００４９】
図６，６に示すように、この巻線装置１０は、上面がテーブル１２をなす基台１１と、この基台１１上に立設された縦フレーム１３と、この縦フレーム１３の上端に取り付けられた天板１４とを有している。
【００５０】
テーブル１２と天板１４との一側方には、天板１４から垂下する２本のガイド棒２１、２２に案内される昇降ブロック２０が配設されている。この昇降ブロック２０には、天板１４に取付けられたモータ２３によって回転するボールネジ２４が螺合して貫通している。したがって、モータ２３の作動によりボールネジ２４を回転させることによって、昇降ブロック２０はガイド棒２１、２２に沿って昇降動作する。
【００５１】
図８、８を併せて参照すると、昇降ブロック２０には、４つのガイドプーリ２５が取付けられており、このガイドプーリ２５に上下辺を支持されて水平方向に移動可能なアーム２６が設けられている。このアーム２６は、それと平行に配設されたエアシリンダ２７によって軸方向に移動可能とされている。
【００５２】
このアーム２６の先端には、複数本の電線を並列させて繰出すノズル２８が取付けられている。また、昇降ブロック２０の一端には、ガイドプレート２９が装着されており、このガイドプレート２９に複数の電線導入孔３０が形成されている。電線は、これらの導入孔３０に導入された後、上記ノズル２８を通って繰出されるようになっている。
【００５３】
ノズル２８は、１本の電線が通過できるスリット３１を設けて対置された一対のプレート２８ａ、２８ｂを有し、電線の通過する経路の出入口の上下部分に、合計４つのガイドローラ３２が配設されている。これらのガイドローラ３２は、電線の導出入部における摩擦を軽減させて、電線の絶縁被覆の損傷を回避する役割をなす。
【００５４】
そして、上述したように、エアシリンダ２７によってアーム２６が軸方向に移動することにより、ノズル２８は、巻枠４０に近接したり、遠ざかったりするように、進退動作する。また、上記モータ２３の作動により昇降ブロック２０が昇降動作することにより、ノズル２８も昇降動作する。
【００５５】
天板１４には、巻枠４０が垂下して回転可能に支持されている。すなわち、巻枠４０は、天板１４上に設置された巻枠回転モータ４１と、この巻枠回転モータ４１の駆動プーリに張設された回転ベルト４２を介して回転する回転板４３に取付けられている。
【００５６】
図１０を併せて参照すると、回転板４３には、断面Ｔ字状の第１ブラケット４４が取付けられており、この第１ブラケット４４に前方巻枠４６が蟻溝嵌合して、ボルト４５によって固着されている。
【００５７】
また、同じく断面Ｔ字状の第２ブラケット４９が、回転板４３の下面に取付けられた支持板４７に、支軸４８を介して揺動可能に取付けられている。そして、この第２ブラケット４９に後方巻枠５１が蟻溝嵌合して、ボルト５０によって固着されている。
【００５８】
更に、回転板４３は、前記巻枠回転モータ４１によって回転する回転筒５２の下端に連結されており、この回転筒５２及び回転板４３を貫通してスライド軸５３が挿通されている。このスライド軸５３の下端には、十字状に延出された羽根からなるコイル落し板５４が取付けられている。そして、図６に示すエアシリンダ５５の作動によって、上記スライド軸５３が軸方向に移動し、コイル落し板５４が昇降動作するようになっている。コイル落し板５４の昇降動作は、巻線時における上昇した位置と、後記図１１における巻枠クランプを開放させる位置と、コイル落しを行う位置の３つの位置で停止できるようになっている。
【００５９】
前方巻枠４６及び後方巻枠５１には、上記コイル落し板５４が挿通されるスリット５６、５７が設けられ、前方巻枠４６及び後方巻枠５１は、該スリットによって左右に分かれた部材でそれぞれ構成されている。また、前方巻枠４６には、後述するトランスファツールのガイド棒が挿入される溝５８が形成されている。
【００６０】
後方巻枠５１を支持する第２ブラケット４９の上面は、支軸４８を頂点とする山形の傾斜面６０をなし、この傾斜面６０にスプリング６１で押圧されたローラ６２が圧接されている。このローラ６２は、スプリング６１とは反対の方向に伸びるボルト軸６３に連結されており、このボルト軸６３に外的負荷がかからない状態では、ローラ６２が傾斜面６０に圧接されて、第２ブラケット４９がほぼ水平状態に支持され、したがって後方巻枠５１が垂下した状態に支持されるようになっている。
【００６１】
また、天板１４の下面には、ブラケット６５を介してエアシリンダ６４が設置されており、後方巻枠５１が所定の回動位置にあるとき、エアシリンダ６４の作動ロッド６６がボルト６３に対向配置されるようになっている。そして、エアシリンダ６４の作動によって作動ロッド６６が押出されると、ボルト６３が押されてローラ６２が傾斜面６０を下る方向に移動し、後方巻枠５１が図６中の想像線で示すように内側に倒れ込むことが可能とされる。
【００６２】
後方巻枠５１の外周面は、下方に向かうほど回転軸心に近づくように縮径したテーパ面７１と、このテーパ面７１の下端から回転軸心と平行に伸びる垂直面７２とを有している。そして、テーパ面７１にはゴム膜が貼り付けられており、巻線された電線が、コイル落し板５４で強制的に払い落されるまでは、後方巻枠５１に巻き付いた状態を維持するようにしている。
【００６３】
更に、後方巻枠５１の外周面は、図１０（ｃ）に示すように、底面側から見たとき、後方巻枠５１の上部においては大きな曲率の円弧５１ａをなし、後方巻枠５１の下部においては両肩部が小さい曲率の円弧５１ｂをなし、中間が平面５１ｃをなしている。
【００６４】
また、後方巻枠５１の、スリット５７によって分割された左右の部材には、それらの下端に巻枠クランプ７３、７４が設けられている。図１１に示すように、左右の巻枠クランプ７３、７４は、同じ構造からなっており、外側の固定片７５と、この固定片７５に対して内側から接離する可動片７６とを有し、固定片７５と可動片７６との間に電線を挟持するようになっている。
【００６５】
可動片７６の背面部には、支軸７７で回動可能に支持されたレバー７８の一端が枢着されている。また、レバー７８の他端は、ロッド７９の下端に枢着されている。左右のロッド７９は、図１０（ｂ）に示すように、板６７によって連結されており、かつ、スプリング６８によって、常時下方に付勢されている。そして、この板６７の下方に、コイル落し板５４が配置されており、コイル落し板５４が上昇した位置では、上記板６７がコイル落し板５４によって押し上げられ、ロッド７９が上昇した位置となる。また、コイル落し板５４が下降すると、スプリング６８の付勢力によって、ロッド７９も下降するようになっている。
【００６６】
図１１（ａ）は、コイル落し板５４が上昇した位置にあって、ロッド７９がコイル落し板５４によって押上げられた状態を示し、この状態ではリンク７８が図中時計方向に回動しようとするため、可動片７６が固定片７５に押し付けられる状態となる。
【００６７】
また、図１１（ｂ）は、コイル落し板５４が所定位置まで下降し、ロッド７９がスプリング６８によって下降した状態を示し、この状態ではリンク７８が反時計方向に回動するため、可動片７６が固定片７５から離れた状態となる。
【００６８】
電線は、後述するグリッパによって、図１１（ｂ）に示す状態で固定片７５と可動片７６との隙間に挿入され、図１１（ａ）に示す状態にすることにより、固定片７５と可動片７６との間にクランプされるようになっている。
【００６９】
図１２を併せて参照すると、上記巻枠４０に対向して、テーブル１２上には、トランスファーツール（本発明における電線保持治具に該当）８０が配置されている。トランスファーツール８０は、ステータコアの内歯に対応して立設された複数本のガイド棒８１を有している。なお、ガイド棒８１は、ステータコアの全ての内歯に対応して設けられる必要はなく、少なくともコイルを挿入しようとするスロットの両側に位置する内歯に対応して設けられていればよい。
【００７０】
図１３に示すように、ガイド棒８１の先端部には、拡径したキャップ８２が装着されており、キャップ８２の中間部に形成された拡径部８２ａが隣接するキャップ８２に当接して、ガイド棒８１どうしの間隙に挿入されたコイルを抜け止めするようになっている。
【００７１】
ガイド棒８１は、円板８３上に立設されている。円板８３には、支軸８４が連結されている。支軸８４は、図７に示すテーブル１２の下方に配置されたエアシリンダ９２によって軸方向にスライドし、それによってトランスファーツール８０が昇降動作するようになっている。
【００７２】
また、円板８３の下方であって支軸８４の外周には、回転テーブル８５が同心的に配置されている。回転テーブル８５の下面中央には、回転筒８６が連結されている。回転筒８６は、ベアリングを内蔵する軸受８７によって回転可能に支持されている。更に、軸受８７は、スライドベース８８に設置されており、スライドベース８８は、スライドレール８９に沿って水平移動可能に支持されている。
【００７３】
図７に示すように、テーブル１２上には、ボールネジ９１が水平方向に配設されており、このボールネジ９１は、同じくテーブル１２上に設置された水平移動モータ９０によって回転するようになっている。そして、ボールネジ９１は、上記スライドベース８８に螺合しており、水平移動モータ９０によってボールネジ９１が回転すると、スライドベース８８が水平移動するようになっている。
【００７４】
また、テーブル１２の下方には、トランスファーツール回転モータ９３が設置されており、このモータ９３に連動するベルト９４を介して、上記回転筒８６と共に回転テーブル８５が回転するようになっている。なお、回転筒８６に挿通された支軸８４は、回転筒８６に対して、軸方向には移動可能で、回転方向には一体に回転するように、キーやスプライン嵌合により連結されている。
【００７５】
回転テーブル８５の周縁部には、周方向に対向して合計２つのリード線クランプ１００が設置されている。また、回転テーブル８５が所定の回動位置にあるときに、これらのリード線クランプ１００の下方に位置するように、テーブル１２上にはクランプ解除装置１０１が設置されている。
【００７６】
リード線クランプ１００は、図１４に示すように、回転テーブル８５から立設された筒状の支柱１０２と、この支柱１０２の上端に連結された上方に向けて開いたコ字状の枠体１０３とを有している。筒状の支柱１０２内には、スライド軸１０４が挿通されている。スライド軸１０４の中間にはブロック１０５が固着されており、このブロック１０５から立設された２本のガイド棒１０６が、支柱１０２の上部に軸方向摺動可能に挿入されている。
【００７７】
ガイド棒１０６及びスライド軸１０４の外周には、上記ブロック１０５と上記支柱１０２の上部との間に介装される圧縮コイルバネ１０７、１０８が配置されており、スライド軸１０４を常時、軸方向下方に付勢している。なお、ブロック１０５には、ハンドル１０９が取付けられ、このハンドル１０９は、支柱１０２のスリット状の開口を通して外部に突出しており、スライド軸１０４を手動で上下できるようになっている。
【００７８】
スライド軸１０４の上端は、枠体１０３の内側に配置されたリンクケース１１０に挿入され、このリンクケース１１０から延出された支軸を介してブロック１１１が配置されている。ブロック１１１に形成されたクランプ面１１２と、枠体１０３の一方の端部内面に形成されたクランプ面１１３との間に、図示しない電線が挟持されるようになっている。
【００７９】
すなわち、スライド軸１０４が圧縮コイルバネ１０７、１０８に抗して上昇すると、リンクケース１１０内に設けられた図示しないリンク機構によって、ブロック１１１が図１４中の左方向に移動し、クランプ面１１２、１１３が開くようになっている。また、スライド軸１０４に外力が作用しない状態では、スライド軸１０４が圧縮コイルバネ１０７、１０８によって下方に移動し、リンクケース１１０内に設けられた図示しないリンク機構によって、ブロック１１１が図１４中の右方向に移動し、クランプ面１１２、１１３が閉じるようになっている。
【００８０】
スライド軸１０４は、回転テーブル８５の下面から突出しており、その下端にはフランジ１１５が連結されている。そして、クランプ解除装置１０１は、回転テーブル８５が所定の回動位置にあるとき、上記リード線クランプ１００の下方に配置されるように、テーブル１２上に設置されている。クランプ解除装置１０１は、内蔵するエアシリンダによって昇降動作する押上げ板１１６を有し、この押上げ板１１６が上昇すると、スライド軸１０４が圧縮コイルバネ１０７、１０８に抗して上昇し、クランプ面１１２、１１３が開くようになっている。
【００８１】
図７に示すように、巻枠４０の背面側には、本発明の電線受け渡し手段に相当するグリッパ１２０が、上下、左右及び前後に移動可能に配設されている。この移動機構に関する詳細な説明は省略するが、上下、左右及び前後のいずれもモータで回転するボールネジ駆動によるスライド機構からなっている。
【００８２】
このグリッパ１２０は、図１５に示すような構造をなしている。図において１２１は、上記移動機構に連設されたグリッパ本体であり、この本体１２１に一対の回動アーム１２２が、支軸１２３を介して、回動可能に取付けられている。これらの回動アーム１２２は、本体１２１の後部に取付けられた開閉エアシリンダ１２４の作動により、図示しないリンク機構を介して、同図（ａ）、（ｂ）に示すように開閉動作するようになっている。
【００８３】
また、各回動アーム１２２の先端には、それぞれクランプ部１４０が取付けられている。クランプ部１４０は、側方から見た断面がＬ字状の支持部材１２６を有し、この支持部材１２６の端部１２７は、上方に立ちあがっている。
【００８４】
更に、支持部材１２６上には、可動部材１２８が装着されており、この可動部材１２８は、回動アーム１２２上に設置されたエアシリンダ１３０の作動ロッド１３１に連結されたリンク１３２、１３３を介して、支持部材１２６の端部１２７内面に接離するように動作する。
【００８５】
図１６に示すように、並列した複数本の電線Ｗは、可動部材１２８の端部１２９と、支持部材１２６の端部１２７との間に、挟持される。この場合、エアシリンダ１３０は、同図（ａ）に示すように電線Ｗを固定できるように挟持した状態と、同図（ｂ）に示すように電線Ｗを開放することなく線方向に摺動可能に挟持した状態と、同図（ｃ）に示すように電線Ｗを開放できるように開いた状態の３段階の開閉状態を取り得るように動作する。
【００８６】
また、支持部材１２６の端部１２７の上端１２７ａと、可動部材１２８の端部１２９の上端１２９ａとは、上記（ａ）、（ｂ）の状態で、互いに当接又は嵌合し、電線Ｗが抜けてしまわないようにされている。上記支持部材１２６の上端１２７ａと、可動部材１２８の上端１２９ａとが、電線Ｗの抜け止め部を構成している。
【００８７】
図６に示すように、巻枠４０の側方には、天板１４から垂下するカッター１６０が取付けられている。このカッター１６０は、図１８に示すように、天板１４に立設した支持板１６１と、この支持板１６１に固着されたブロック１６２と、このブロック１６２に取付けられた昇降用エアシリンダ１６３と、ブロック１６２を上下に貫通する一対のガイド棒１６４を介して昇降可能に取付けられた昇降ベース１６５と、この昇降ベース１６５に取付けられたカッター本体１６６と、カッター本体１６６に設けられた刃部１６７とからなる。昇降用エアシリンダ１６３の作動ロッドは、昇降ベース１６５に連結されており、昇降用エアシリンダ１６３の作動によって昇降ベース１６５及びカッター本体１６６が昇降動作する。また、カッター本体１６６は、エアシリンダを内蔵しており、刃部１６７を開閉動作させる。
【００８８】
図７に示すように、巻枠４０の背面側には、天板１４の下面に支持された引張装置１７０が設けられている。この引張装置１７０は、図１７に示すように、天板１４の下面にブラケット１７１を介して取付けられた第１エアシリンダ１７２を有している。第１エアシリンダ１７２の作動ロッド１７３は、巻枠４０の方向に向けて水平方向に伸縮動作し、その先端には第２エアシリンダ１７４が取付けられている。そして、第２エアシリンダ１７４の作動ロッド１７５は、垂直方向下方に延出されており、この作動ロッド１７５の下端に引き掛けプーリ１７６が取付けられている。
【００８９】
次に、図１９〜３０を参照して、この巻線装置１０を用いた巻線工程について前記電線供給装置２００の作用と合わせて説明する。なお、工程順に（ａ）〜（ｘ）の符号を付している。各工程図において、アルファベットの後に１が付いた図は正面図であり、２が付いた図は平面図である。以下、上記工程に従って、巻線操作を説明する。
【００９０】
１）図１９（ａ１）工程
トランスファーツール８０を回転テーブル８５上に設置し、巻線装置１０を起動する。なお、電線Ｗは、予めグリッパ１２０に保持させておく。
【００９１】
２）図１９（ｂ１）（ｂ２）工程
グリッパ１２０で電線Ｗ（リード線）をノズル２８から引き出し、リード線クランプ１００に電線Ｗをクランプさせる。
【００９２】
その際、まず、図１６（ｂ）に示すように、可動部材１２８の端部１２９と、支持部材１２６の端部１２７とが、電線Ｗを開放することなく線方向に摺動可能な状態に開く（以下、この状態を「半開き状態」とする）。
【００９３】
そして、図１５（ａ）に示すように、回動アーム１２２を回動させてクランプ部１４０をＹ字状に開く。その結果、電線Ｗは、Ｙ字状に開いたクランプ部１４０の間に平行に並んで保持される。
【００９４】
次に、可動部材１２８の端部１２９と、支持部材１２６の端部１２７とが、図１６（ａ）に示すように、電線Ｗを固定するように挟持する（以下、この状態を「固定状態」とする）。この状態で、グリッパ１２０を移動させて、Ｙ字状に開いたクランプ部１４０の間にリード線クランプ１００を導入する。
【００９５】
このとき、図１４に示すように、リード線クランプ１００は、クランプ解除装置１０１の上方にあり、クランプ解除装置１０１の押上げ板１１６が上昇して、スライド軸１０４が押上げられ、クランプ面１１２、１１３が開いた状態となっている。
【００９６】
そして、グリッパ１２０が移動して、Ｙ字状に開いたクランプ部１４０の間に平行に並んで保持された電線Ｗを、リード線クランプ１００の上記クランプ面１１２、１１３の隙間に電線Ｗを挿入すると、クランプ解除装置１０１の押上げ板１１６が下降し、スライド軸１０４が圧縮コイルバネ１０７、１０８によって下方に移動し、クランプ面１１２、１１３が閉じて電線Ｗを把持する。
【００９７】
次いで、グリッパ１２０の端部１２９と、支持部材１２６の端部１２７とが、図１６（ｃ）で示すように開き（以下、この状態を「開放状態」とする）、グリッパ１２０を下降させて電線Ｗを上記端部１２９、１２７の隙間から開放する。
【００９８】
３）図２０（ｃ１）（ｃ２）工程
トランスファーツール８０を載置した回転テーブル８５が回転し、電線Ｗを張り、グリッパ１２０で電線Ｗを把持する。このとき、グリッパ１２０のクランプが固定状態に閉じて、電線Ｗをしっかりと挟持する。
【００９９】
なお、グリッパ１２０による電線Ｗの把持位置を正確に設定するため、図３に示す前記ロック装置２１３によって電線Ｗをスライド板２０８上で固定する。それによって、電線Ｗを引き出すと、第３ガイドリール２１２と第４ガイドリール２１７とが接近するので、エアシリンダ２１０の付勢力に抗してスライド板２０８が移動し、電線Ｗはピンと張られる。そして、グリッパ１２０によって電線Ｗが保持されると、ロック装置２１３は解除される。このロック装置２１３による電線Ｗの固定作業は、グリッパ１２０が電線Ｗを把持する際に、その都度なされるのであるが、以下の説明では省略することにする。
【０１００】
４）図２０（ｄ１）（ｄ２）工程
グリッパ１２０のクランプが半開き状態に開くと共に、クランプ部１４０がＹ字状に開く。その結果、電線Ｗはクランプ部１４０の間に平行に並んで保持される。その状態で、グリッパ１２０のクランプを再び固定状態に閉じ、巻枠４０の後方巻枠５１の一方の巻枠クランプ７４に挿入する。
【０１０１】
このとき、巻枠４０のコイル落し板５４が巻枠クランプ開放位置まで下降して、巻枠クランプ７４は開いた状態になっている。そして、グリッパ１２０のＹ字状に開いたクランプ部１４０によって平行に並んで保持された電線Ｗが、そのままの形でクランプ７４に挿入される。そして、コイル落し板５４が上昇して巻枠クランプ７４が閉じ、グリッパ１２０が開放状態に開いて、電線Ｗを巻枠クランプ７４に残して開放する。
【０１０２】
５）図２１（ｅ１）（ｅ２）工程
回転テーブル８５と共に、リード線クランプ１００、トランスファーツール８０及び巻枠４０が同期して回転し、巻き始め位置にセットされ、アーム２６が突出して、ノズル２８が巻枠４０に近接する。
【０１０３】
６）図２１（ｆ１）（ｆ２）工程
ボールネジ２４（図８参照）の回転により、ノズル２８を徐々に上昇させながら、リード線クランプ１００、トランスファーツール８０及び巻枠４０を同期して回転させる。
【０１０４】
７）図２２（ｇ１）（ｇ２）工程
こうして１極目のコイルＣ１の巻線が終了したら、ボールネジ９１（図７、１１参照）の回転により、トランスファーツール８０をスライドさせ、その対応するガイド棒８１を、前方巻枠４６の溝５８（図１０参照）に位置合わせする。
【０１０５】
８）図２２（ｈ１）（ｈ２）工程
この状態で、支軸８４（図１２参照）が上昇し、トランスファーツール８０が上昇して、所定のガイド棒８１が前方巻枠４６の溝５８に挿入される。それと同時に、エアシリンダ６４の作動ロッド６６が押出され、ボルト軸６３を介してローラ６２が第２ブラケット４９の傾斜面６０を移動して、後方巻枠５１が傾き（図１０参照）、エアシリンダ５５の作動によってスライド軸５３を介してコイル落し板５４が下降し（図６参照）、１極目のコイルＣ１がトランスファーツール８０のガイド棒８１の間隙に落し込まれる。
【０１０６】
また、グリッパ１２０が移動して、ノズル２８と巻枠４０との間に張設された電線Ｗを把持し、所定長さ引き出して渡り線の長さを調節する。
【０１０７】
９）図２３（ｉ１）（ｉ２）工程
支軸８４が再び下降して、トランスファーツール８０が下降する。また、グリッパ１２０のクランプ部１４０が半開き状態となってＹ字状に開き、再び固定状態に閉じて、クランプ部１４０の間で電線Ｗが平行に並んだ状態にする。
【０１０８】
この状態で、グリッパ１２０が後方巻枠５１の巻枠クランプ７３に移動し、平行に並んだ電線Ｗを巻枠クランプ７３に挿入する。巻枠クランプ７３は、電線Ｗを受け入れる際には、コイル落し板５４が巻枠クランプ開放位置まで下降して開いた状態にあり、電線Ｗを受け入れると、コイル落し板５４が上昇して閉じる。
【０１０９】
電線Ｗが巻枠クランプ７３に保持されると、グリッパ１２０のクランプが開放状態となり、電線Ｗを巻枠クランプ７３に残して移動する。
【０１１０】
１０）図２３（ｊ１）（ｊ２）工程
ボールネジ９１（図７、１１参照）の回転により、トランスファーツール８０が再びスライドして、巻枠４０と同心的に配置される。
【０１１１】
この状態で、回転テーブル８５と共に、リード線クランプ１００、トランスファーツール８０及び巻枠４０が、所定角度回転して巻線開始位置にセットされた後、前記の巻線方向と反対方向に同期して回転し、ノズル２８を徐々に上昇させながら、巻線を行う。
【０１１２】
なお、巻線時においては、前記と同様に、アーム２６が突出してノズル２８が巻枠４０に近接するのであるが、便宜上、以下の記載ではその説明を省略することにする。
【０１１３】
１１）図２４（ｋ１）（ｋ２）工程
こうして２極目のコイルＣ２の巻線が終了する。
【０１１４】
１２）図２４（ｌ１）（ｌ２）工程
トランスファーツール８０が再びスライドして、対応するガイド棒８１を、前方巻枠４６の溝５８（図１０参照）に位置合わせする。
【０１１５】
１３）図２５（ｍ１）（ｍ２）工程
この状態で、トランスファーツール８０が上昇して、所定のガイド棒８１が前方巻枠４６の溝５８に挿入される。それと同時に、前述した駆動機構により、後方巻枠５１が傾いて、コイル落し板５４が下降し、２極目のコイルＣ２がトランスファーツール８０のガイド棒８１の間隙に落し込まれる。
【０１１６】
また、グリッパ１２０が移動して、ノズル２８と巻枠４０との間に張設された電線Ｗを把持し、所定長さ引き出して渡り線の長さを調節する。
【０１１７】
１４）図２５（ｎ１）（ｎ２）工程
トランスファーツール８０が再び下降する。また、グリッパ１２０のクランプ部１４０が半開き状態となってＹ字状に開き、再び固定状態に閉じて、クランプ部１４０の間で電線Ｗが平行に並んだ状態にする。その状態で、グリッパ１２０が後方巻枠５１の巻枠クランプ７４に移動し、平行に並んだ電線Ｗを巻枠クランプ７４に挿入して保持させる。
【０１１８】
そして、トランスファーツール８０が再びスライドして、巻枠４０と同心的に配置され、３極目のコイルＣ３の巻線が開始される。
【０１１９】
１５）図２６（ｏ１）（ｏ２）工程
以後、前記と同様な工程を繰り返して、３極目のコイルＣ３及び４極目のコイルＣ４を形成する。図２２（ｏ１）（ｏ２）は、４極目のコイルＣ４の巻線が終了した状態を示している。
【０１２０】
なお、この状態で、図３に示すロック装置２１３の作動により電線Ｗがスライド板２０８上で固定され、電線Ｗがロック装置２１３と巻枠４０との間でピンと張られた状態となる。
【０１２１】
そして、図４に示すモータ２３８の作動で、回転筒２３５及び回転軸２４１が回転し、回転軸２４１に連結された回転リング２４６が回転し、３本の揺動棒２５０も一緒に回転する。その結果、前述したウエイト２５２の遠心力によって揺動棒２５０が回動し、先端の刃２５１が電線Ｗの経路方向に移動して、電線Ｗの外周に回転しながら接触する。
【０１２２】
また、上記と同期して、図３に示すモータ２２２が作動してボールネジ２２１が回転し、前述したように皮むき装置２３０が電線Ｗの軸線に沿って移動する。その結果、皮むき装置２３０は、電線Ｗの外周の絶縁被覆を、回転する刃２５１で剥離しながら、電線Ｗの軸線に沿って移動し、電線Ｗの所定長さ部分の絶縁被覆を剥離する。
【０１２３】
１６）図２６（ｐ１）（ｐ２）工程
こうして４極目のコイルＣ４の巻線が終了したら、トランスファーツール８０を再びスライドして、対応するガイド棒８１を、前方巻枠４６の溝５８（図６参照）に位置合わせする。
【０１２４】
また、巻枠４０とノズル２８との間の電線Ｗを、グリッパ１２０で保持して引き寄せると共に、引張装置１７０（図１３参照）の引き掛けプーリ１７６で電線Ｗを引き掛け、所望の長さ引き出す。なお、このときロック装置２１３は解除されている。そして、この引き出された部分は、前記工程で絶縁被覆を剥離された部分となっており、渡り線の途中でリード線を取る場合にそのままコネクタを装着できるので、作業性を大幅に改善することができる。
【０１２５】
１７）図２７（ｑ１）（ｑ２）工程
トランスファーツール８０が上昇し、所定のガイド棒８１が前方巻枠４６の溝５８に挿入される。それと同時に、コイル落し板５４が下降し、４極目のコイルＣ４がトランスファーツール８０のガイド棒８１の間隙に落し込まれる。
【０１２６】
また、同時にグリッパ１２０が下降し、引張装置１７０の引き掛けプーリ１７６に引き掛けられた電線Ｗ（渡り線）が下方に落ちる。
【０１２７】
１８）図２７（ｒ１）（ｒ２）工程
トランスファーツール８０が下降し、グリッパ１２０が電線Ｗを後方巻枠５１の巻枠クランプ７４に受け渡す。
【０１２８】
そして、トランスファーツール８０が再びスライドして、巻枠４０と同心的に配置され、５極目のコイルＣ５の巻線が開始される。
【０１２９】
なお、図２６、２６の工程は、４極目のコイルと５極目のコイルとの間でリード線を取出す必要がある場合など、巻線途中での渡り線を長くすることが必要な場合に動作させればよく、そのような必要がない場合には、図２６、２６の工程は省略することができる。
【０１３０】
１９）図２８（ｓ１）（ｓ２）工程
以後、前記と同様な工程を繰り返して、最終極（８極目）のコイルＣ８まで形成する。図２８（ｓ１）（ｓ２）は、８極目のコイルＣ８の巻線が終了した状態を示している。
【０１３１】
８極目のコイルＣ８の巻線が終了すると、この一連の巻線操作の巻き終わりの端部と、次の巻線操作の巻き始めの端部とが、図３の皮むき装置２３０が配置された部分に位置する。この状態で、図３に示すロック装置２１３の作動により電線Ｗがスライド板２０８上で固定され、電線Ｗがロック装置２１３と巻枠４０との間でピンと張られた状態となる。
【０１３２】
そして、図４に示すモータ２３８の作動で、回転筒２３５及び回転軸２４１が回転し、回転軸２４１に連結された回転リング２４６が回転し、３本の揺動棒２５０も一緒に回転する。その結果、前述したウエイト２５２の遠心力によって揺動棒２５０が回動し、先端の刃２５１が電線Ｗの経路方向に移動して、電線Ｗの外周に回転しながら接触する。
【０１３３】
また、上記と同期して、図３に示すモータ２２２が作動してボールネジ２２１が回転し、前述したように皮むき装置２３０が電線Ｗの軸線に沿って移動する。その結果、皮むき装置２３０は、電線Ｗの外周の絶縁被覆を、回転する刃２５１で剥離しながら、電線Ｗの軸線に沿って移動し、電線Ｗの所定長さ部分の絶縁被覆を剥離する。
【０１３４】
その後、上記ロック装置２１３が解除され、グリッパ１２０が、巻枠４０とノズル２８との間の電線Ｗを保持して引き寄せると共に、引張装置１７０（図１７参照）の引き掛けプーリ１７６で電線Ｗを引き掛け、所望の長さ引き出す。
【０１３５】
２０）図２８（ｔ１）（ｔ２）工程
トランスファーツール８０が上昇し、所定のガイド棒８１が前方巻枠４６の溝５８に挿入される。また、グリッパ１２０がノズル２８の近傍まで移動し、グリッパ１２０のクランプ部１４０が半開き状態となってＹ字状に開き、再び固定状態に閉じる。
【０１３６】
２１）図２９（ｕ１）（ｕ２）工程
グリッパ１２０の側方位置に向かって、カッター１６０（図１８参照）が下降し、刃部１６７が開いて電線Ｗを導入した後、刃部１６７が閉じて電線Ｗをカットする。なお、この電線Ｗのカット位置は、前記図２８の（ｓ１）（ｓ２）工程において、皮むき装置２３０により電線Ｗの外周の絶縁被覆を剥離された部分の中間に位置する。したがって、巻枠４０につながった方の端部は、一連のコイルＣ１〜Ｃ８の巻き終わりのリード端部となり、ノズル２８につながった方の端部は、次の一連のコイルの巻き始めのリード端部となる。このように、各リード端部の絶縁被覆の剥離を巻線工程中に自動的に行うことができるので、巻線工程後のコネクタ等への接続作業を容易にすることができる。
【０１３７】
２２）図２９（ｖ１）（ｖ２）工程
巻枠４０のコイル落し板５４が下降して、最終極のコイルＣ８がトランスファーツール８０のガイド棒８１の隙間に落し込まれる。
【０１３８】
２３）図３０（ｗ１）（ｗ２）工程
トランスファーツール８０が下降して、最初にトランスファーツール８０をセットした位置（作業者の取出し位置）までスライドする。これでコイル巻線作業の１サイクルが終了する。
【０１３９】
２４）図３０（ｘ１）工程
トランスファーツール８０を取り外し、図示しないコイル挿入治具（コイルインサーター）に、巻線されたコイルＣ１〜Ｃ８を移し替え、後は常法に従って、コイル挿入装置によりステータコアへのコイル挿入がなされる。なお、トランスファーツールに替えてコイル挿入治具を用い、コイル挿入治具に巻線されたコイルを直接落し込むこともできる。
【０１４０】
なお、図３１は、上記の工程で巻線されたコイルＣ１〜Ｃ８の状態を示す平面図である。図において、Ｗ１は電線の巻き始めの端部、Ｗ２は電線の巻き終わりの端部、Ｗ３は電線の中間引き出し部である。電線Ｗの巻き始め及び巻き終わりのリード線や、各コイルの間の渡り線の長さを上記のように調節しておくことにより、ステータコアに挿入した後の、リード端子の接続工程などの作業性を飛躍的に改善することができる。
【０１４１】
また、前述したように、電線の巻き始めの端部Ｗ１、電線の巻き終わりの端部Ｗ２、及び電線の中間引き出し部Ｗ３の所定長さ部分は、皮むき装置２３０によって絶縁被覆を剥離されており、これらの端部Ｗ１、Ｗ２、Ｗ３にコネクタ等を接続する場合の、パラ巻きされた複数本の電線Ｗの絶縁被覆の剥離作業を省略することができる。このように、パラ巻きされた複数本の電線Ｗのリード端部の絶縁被覆の剥離を後工程で行う必要がなくなるので、作業性を著しく改善することができる。
【０１４２】
なお、皮むき装置２３０のモータ２３８の回転速度を調整できるようにすることにより、揺動棒２５０の基端に取付けられたウエイト２５２の遠心力を変化させて、刃２５１の電線Ｗの経路方向への移動量を電線Ｗの太さに応じて調整することもできる。
【０１４３】
【発明の効果】
以上説明したように、本発明によれば、巻線装置へ複数本の電線を並列して供給する途中で、電線のリード端部となる部分が供給経路を通過するときに、皮むき装置を作動させて、それぞれの電線の絶縁被覆を剥離することにより、巻き上がったコイルのリード端部となる部分が既に絶縁被覆を除去されているので、後の工程で絶縁被覆の剥離作業を行う必要がなくなり、リード端部の処理作業に要する労力や時間を大幅に軽減することができる。
【図面の簡単な説明】
【図１】本発明による電線供給装置の一実施形態と、それが適用される巻線装置の一例を示す正面図である。
【図２】同電線供給装置の正面図である。
【図３】同電線供給装置の平面図である。
【図４】同電線供給装置に使用される皮むき装置を示し、（ａ）は正面断面図、（ｂ）は右側側面図、（ｃ）は左側面図である。
【図５】同電線供給装置に使用される皮むき装置における剥離された絶縁被覆の吸引機構を示す説明図である。
【図６】本発明の一実施形態による巻線装置の全体を示す正面図である。
【図７】同巻線装置の側面図である。
【図８】同巻線装置におけるノズル及び巻枠を示し、（ａ）は正面図、（ｂ）は側面図である。
【図９】同巻線装置におけるノズル付近を示し、（ａ）は正面図、（ｂ）は左側面図、（ｃ）は右側面図である。
【図１０】同巻線装置における巻枠を示し、（ａ）は正面図、（ｂ）は右側面図、（ｃ）は底面図である。
【図１１】同巻枠のクランプ部を示し、（ａ）は閉じた状態の部分拡大図、（ｂ）は開いた状態の部分拡大図、（ｃ）は部分断面図である。
【図１２】同巻線装置におけるトランスファーツール及びテーブルを示し、（ａ）は平面図、（ｂ）は平面図である。
【図１３】同巻線装置におけるトランスファーツールのガイド棒の先端部分を示す部分拡大図である。
【図１４】同巻線装置におけるリード線クランプを示し、（ａ）は断面図、（ｂ）は側面図である。
【図１５】同巻線装置におけるグリッパを示し、（ａ）はクランプ部を開いた状態の平面図、（ｂ）はクランプ部を閉じた状態の平面図、（ｃ）は側断面図である。
【図１６】同グリッパのクランプ部の先端を示し、（ａ）は電線を把持した固定状態を示す説明図、（ｂ）は電線を摺動可能に保持した半開放状態を示す説明図、（ｃ）電線を開放するために開いた状態を示す説明図である。
【図１７】同巻線装置における引張装置を示し、（ａ）は正面図、（ｂ）は側面図、（ｃ）は引き掛けプーリを下降させた状態を示す側面図である。
【図１８】同巻線装置におけるカッターを示し、（ａ）は正面図、（ｂ）は側面図である。
【図１９】同巻線装置による巻線工程を示す説明図である。
【図２０】同巻線装置による巻線工程を示す説明図である。
【図２１】同巻線装置による巻線工程を示す説明図である。
【図２２】同巻線装置による巻線工程を示す説明図である。
【図２３】同巻線装置による巻線工程を示す説明図である。
【図２４】同巻線装置による巻線工程を示す説明図である。
【図２５】同巻線装置による巻線工程を示す説明図である。
【図２６】同巻線装置による巻線工程を示す説明図である。
【図２７】同巻線装置による巻線工程を示す説明図である。
【図２８】同巻線装置による巻線工程を示す説明図である。
【図２９】同巻線装置による巻線工程を示す説明図である。
【図３０】同巻線装置による巻線工程を示す説明図である。
【図３１】同巻線装置により巻線したコイルを示す平面図である。
【符号の説明】
１０　巻線装置
１１　基台
１２　テーブル
１３　縦フレーム
１４　天板
２０　昇降ブロック
２１、２２　ガイド棒
２３　モータ
２４　ボールネジ
２５　ガイドプーリ
２６　アーム
２７　エアシリンダ
２８　ノズル
２８ａ、２９ｂ　プレート
２９　ガイドプレート
３０　電線導入孔
３１　スリット
３２　ガイドローラ
４０　巻枠
４１　巻枠回転モータ
４２　回転ベルト
４３　回転板
４４　第１ブラケット
４５　ボルト
４６　前方巻枠
４７　支持板
４８　支軸
４９　第２ブラケット
５０　ボルト
５１　後方巻枠
５２　回転筒
５３　スライド軸
５４　コイル落し板
５５　エアシリンダ
５６、５７　スリット
５８　溝
６０　傾斜面
６１　スプリング
６２ローラ
６３　ボルト軸
６４　エアシリンダ
６５　ブラケット
６６　作動ロッド
７１　テーパ面
７２　垂直面
７３、７４　巻枠クランプ
７５　固定片
７６　可動片
７７　支軸
７８　レバー
７９　ロッド
８０　トランスファーツール
８１　ガイド棒
８２　キャップ
８３　円板
８４　支軸
８５　回転テーブル
８６　回転筒
８７　軸受
８８　スライドベース
８９　スライドレール
９０　水平移動モータ
９１　ボールネジ
９２　エアシリンダ
９３　回転モータ
９４　ベルト
１００　リード線クランプ
１０１　クランプ解除装置
１０２　支柱
１０３　枠体
１０４　スライド軸
１０５　ブロック
１０６　ガイド棒
１０７、１０８　圧縮コイルバネ
１０９　ハンドル
１１０　リンクケース
１１１　ブロック
１１２、１１３　クランプ面
１１５　フランジ
１１６　押上げ板
１２０　グリッパ
１２１　本体
１２２　回転アーム
１２３　支軸
１２４　開閉エアシリンダ
１２６　支持部材
１２７　端部
１２７ａ　上端
１２８　可動部材
１２９　端部
１２９ａ　上端
１３０　エアシリンダ
１３１　作動ロッド
１３２、１３３　リンク
１４０　クランプ部
１６０　カッター
１６１　支持板
１６２　ブロック
１６３　昇降用エアシリンダ
１６４　ガイド棒
１６５　昇降ベース
１６６　カッター本体
１６７　刃部
１７０　引張装置
１７１　ブラケット
１７２　第１エアシリンダ
１７３、１７５　作動ロッド
１７４　第２エアシリンダ
１７６　引き掛けプーリ
２００　電線供給装置
２０１　ボビン
２０２　スタンド
２０３　アーム
２０４　第１ガイドリール
２０５　支持パネル
２０６　第２ガイドリール
２０７　スリット
２０８　スライド板
２０９　ガイド板
２１０　エアシリンダ
２１１　作動ロッド
２１２　第３ガイドリール
２１３　ロック装置
２１４　固定板
２１５　エアシリンダ
２１６　可動板
２１７　第４ガイドリール
２１８、２１９　ポール
２２０　延長板
２２１　ボールネジ
２３０　皮むき装置
２３１　本体
２３２　カバー
２３３　ケース
２３４　ベアリング
２３５　回転筒
２３６　従動プーリ
２３７　ブラケット
２３８　モータ
２３９　駆動プーリ
２４０　タイミングベルト
２４１　回転軸
２４２　雄ネジ
２４３　ナット
２４４　フランジ
２４５　ベアリング
２４６　回転リング
２５０　揺動棒
２５１　刃
２５２　ウエイト
２５３　吸引口
２５４　吸引チューブ
２５５　電線Ｗの導出口
Ｗ　電線
Ｃ１　１極目目のコイル
Ｃ２　２極目のコイル
Ｃ３　３極目目のコイル
Ｃ４　４極目のコイル
Ｃ５　５極目目のコイル
Ｃ６　６極目のコイル
Ｃ７　７極目目のコイル
Ｃ８　８極目のコイル
【図１】
2004088921.tif 000003
【図２】
2004088921.tif 000004
【図３】
2004088921.tif 000005
【図４】
2004088921.tif 000006
【図５】
2004088921.tif 000007
【図６】
2004088921.tif 000008
【図７】
2004088921.tif 000009
【図８】
2004088921.tif 000010
【図９】
2004088921.tif 000011
【図１０】
2004088921.tif 000012
【図１１】
2004088921.tif 000013
【図１２】
2004088921.tif 000014
【図１３】
2004088921.tif 000015
【図１４】
2004088921.tif 000016
【図１５】
2004088921.tif 000017
【図１６】
2004088921.tif 000018
【図１７】
2004088921.tif 000019
【図１８】
2004088921.tif 000020
【図１９】
2004088921.tif 000021
【図２０】
2004088921.tif 000022
【図２１】
2004088921.tif 000023
【図２２】
2004088921.tif 000024
【図２３】
2004088921.tif 000025
【図２４】
2004088921.tif 000026
【図２５】
2004088921.tif 000027
【図２６】
2004088921.tif 000028
【図２７】
2004088921.tif 000029
【図２８】
2004088921.tif 000030
【図２９】
2004088921.tif 000031
【図３０】
2004088921.tif 000032
【図３１】
2004088921.tif 000033